(57)【要約】      （修正有）【課題】布地で弾性力で戻る力を作り出す方法で左縒糸と右縒糸で起る８５°表と９５°裏側を布地とした、バネ弾性力での縫製製作方法の提供。【解決手段】２枚の布地の９０°水平から８５°線布地を非対面上布１０ｃを裏に上布１１も裏にすると非対面布地の２枚布の外側１０ａ，１０ｂ，１１ａ，１１ｂに１番目ステッチ１２を形成され、自由端１０中布表がひっくり返されると（ｉ）１０は表布地に入れ変ると１番目ステッチは内側１２となる縫代上に次の２番目ステッチ１３を形成された二枚の布地は布帛布交差Ｐａｎｔｓウエストの強力弾性力はゴムベルトより強い弾性力で腹元力はゴムのインベルよりも早いので３番目ステッチで強力アジャストベルトを提供する。さらにこの方法でＴシャツ襟バインダーテープやＹシャツ襟及びカフス、又は上衣の上襟とＧ襟を非対面襟で３枚目非対面布は共布芯地の役割をしてパッカリングが出来ない。【選択図】図１
2008297692.tif 000002
【特許請求の範囲】
【請求項１】
ストレッチ出来る布地（Ｓｔｒｅｔｃｈａｂｌｅ  ＣＬＯＴＡＳ）を裁断で縫製する方法であって、左縒糸布又は右縒糸布の８５°〜９５°の自然傾現象の布帛又は編布地の２枚の布地の、１番目上布の面が裏側に位置し１０、一方の２番目の面が表側１１、に位置し裏側と表側の面が互い非対面するように重ね合わ合わせ、各布地の外縁上に１番目のステッチ及び自由端を形成する工程、又は１１表側１１ｃで下側１０下布１０ｃで第１ステッチ（直線縫）又はインターロックを形成
形成する袋縫いのストレッチの伸縮出来る２枚の布地を裁断方法で縫い合わせる工程は布傾き中心点８５°と９５°で反対の力が加わる戻る力の弾性力（バネ）で比例−関係の張力バネが出来るパンツ等アジャストでストレッチ出来る布地の製造方法。
【請求項２】
前記１番目の面上布１０と下布１１が表側と裏側で互非対面し、前記２番目の面がそれぞれ外側に位置するように２枚の布地の少なくとも１枚を折り返し、その縫い代上１０ｂと１１ｂに２番目のステッチを保持ステッチとしてストレッチアウターステッチを形成することにより、２枚のストレッチ出来る縒糸を８５°〜９５°織上りの経糸織ストレッチ又は緯糸織方向布の相対性を利用した、２枚縫い合せのストレッチ弾性力で戻る布地を特徴とする弾性力比例バネ張力布地の製造方法。
【請求項３】
前記の弾性力をＰａｎｔｓ布地に正弦ダーツを布地上に、自由端の外縁に沿い且保持ステッチを縫い合された共布地弾性自由端を生かす方法で、Ｐａｎｔｓのウエスト部全体の図４（ａ）〜（ｃ）身頃のＦセンターダーツのストレッチ張力のアジャスト（調節）弾性バネ用を共地で可能、図１〜ａ  Ｐａｎｔｓ＆Ｓｋｉｒｔや衣類襟Ｔシャツ襟内側の片側自由端ストレッチ動きも可能図３〜（ａ）Ｙシャツ上襟布、上記表側と裏側のストレッチ布地の製造方法。
【発明の詳細な説明】
【発明の詳細な説明】
【発明の属する技術の分野】
【０００１】本発明は強力伸縮性を有する布地の裁断方法で縫製する製造方法に関する
【背景技術】
【０００２】従来、例えば、本発明の米国特許４１６４７９２号（Ａｕｇ２１．１９７９．）に開示されているように、衣服のウエストの調節アジャストに２本のロープを通して、１本づゝを元止方式の調節であったが、大きな欠陥が発生する事が気付いた。
それは元止３（１）〜３′（１）ロープの先３（２）〜３′（２）行は伸張が不正確でロープは元にもどりにくい欠陥が有る。
【発明が解決しようとする課題】
【０００３】しかしながら、従来の裁断方法では米国特許５５７９７０９号の特開８−２９９６２７号図１〜ａ、−２枚の布地を、それぞれ１番目の面が外側に位置し、一方２番目の面が互いに対面するように重ね合せ〔請求項１〕よりの裁断による縫製方法では、ネジレ斜めしわが発生するので非伸縮性布地が出来上る欠陥しわ布発生。
【課題を解決するための手段】
【０００４】本発明の方法ではまず通常の布帛布地及びニット地（カットソー）の縒糸ねぢれ張力にポリウレタン高分子糸はウール及びコットン及び、シルクポリエステル等の糸に左又は右縒マゼで強力なストレッチ出来る布地が８０°〜８５°の傾き織又は編上る布地を上記対面の布縫をしない方法で弾性力ストレッチ出来る方法で８５°  ９５°の反転布（裏側）でジィーンズＰａｎｔｓの弾性力ウエストストレッチ強力の戻る力の弾性力を表布８５°と裏布９５°の比例の関係の反対を共布地ウエストで発明し、さらにウエストの寸法アジャスト調節を強力Ｓｔｒｅｔｃｈａｂｌｅ張力は共布地ウエスト布地でゴムのインサイドベルト等の伸び過ぎの不安定さや外側ちぢみしわ過ぎの非美的の欠陥が解決出来る。本発明の方法では２枚の布地は、それぞれ１番目の面（表側の面）が外側に位置し、２番の面も（表側の面）で互いに非対面で縫合されたベルト布又はＰａｎｔｓに用いる共地のインサイド、ウエストベルト図１（ａ）〜（ｊ）は２〜３はウエスマン図１（ｄ）の内側にアジャスト機能で数段のボタン穴を有する方法は本発明の先の米国特許がストレッチ機能を先の発明を改良で進化の方法で、バイアス交差ストレッチ米国特許６８００１５９Ｂ２号と以前の米国特許１６４７９２号をドッキングさせた。
【０００５】米、特許−１６４７９２号（Ａｕｇ２１．１９７９）ＧＡＲＭＥＮＴ及Ｐａｎｔｓのウエストアジャスト（調節）と米国特許６８００１５９Ｂ２号、の特許２０００−４００１２０号の左バイアスと右バイアス交差の裁断による縫製方法のストレッチ出来る布地の製造方法を用いて、強力でストレッチ出来る布地性張力でその布地の撚り糸を利用して８５°〜９５°の傾き布地を表と表の対面重ね合さず上表布裏と下表布で非対面で重ね合わせ１番目ステッチを形成する工程で、共地（ウール地、綿地、化学繊維布）でパンツウエストを共布地弾性でズレ落ちの無い伸縮機能を有する。
【発明を実施するための最良の形態】
【０００６】以下、本発明の実施の一形態を図に基づいて説明する。図１（ｈ）〜（ｊ）は、本発明の２枚の布地裏１０ｃ、と布地裏１１を縫い合わせる方法の基本的な手順を説明する。まず第１に布地裏１０ｃ、布地裏１１は布地１０ｃ、１１の縫製が完了したときに内側になる面が外側に位置するように重ね合わされると、（ひっくり返る）図１（ｉ）１０表で１１ｃも表に変り２番目の（保持ステッチ）１３が形成されると布地性のストレッチの戻る力を有する弾性力の反対の比例関係で強力性弾性力を有するウエスマン内側用インサイドアジャスト布地が内側に通される様に形成されるＰａｎｔｓウエスマン内側【０００７】次の形態は、Ｐａｎｔｓウエスマンの外側と内側の関係図１（ａ）〜（ｄ）２ウエスマン外側表布図１（ｂ）２の内側にインサイドベルト布用に３／１０〜３′／１１ｃで通される片方の先、図１（ｃ）〜（ｄ）上前のボタンフォール３１に２ウエスマン部２（１）と内側布３′（１１ｃ）は固定３１と２（１）と３′（１１ｃ）で動かない、そしてもう一方の先のインサイドベルト３′（１１ｃ）及び３（１０）の先３′〜３（２）（１１〜１１ｃ）はウエスマン下前の穴（ホール）２（２）からインサイドベルト先３′（１１ｃ）及び３（２）穴付（１ヶ〜３ヶ）で外側に顔を出す部分を引張り用弾性力部は下前ボタン４に取付ける事で、ウエストマン全体が弾性力を有するにはさらに上前ボタン穴（ホール）３１を重ね合せる事でアジャスト弾性力は下前インサイドベルト３１の穴３段以上で、伸縮性を保持が形成される。【０００８】
従来のようにウエスマンの一部ゴム入でインサイドベルトはしわが表側ウエスマンに大量に出たり、主布地のウエスマンとインベルの縦横方向にねじれの形態不安定でゴムのインベルはアウターＰａｎｔｓ（例えばジィンズＰａｎｔｓ）ではゴムが丸く変形ねぢれが発生は布地の違和感の性質で変形するが本発明は図１（ａ）〜（ｄ）主布地のウエスマン裏地２裏側２′（９５°）共地インベル表３（８５°）の摩擦（ｆｒｉｃｔｉｏｎ）弾性力がウエスマン全体（外側〜内側）にかかるため、所望のアジャスト弾性力がＰａｎｔｓウエストのパッカリングも少ない仕上がりのきれいな衣料品が出来る。図１（ｅ）は左〜右縒糸と（ｆ〜ｇ）以前の衣類【０００９】図２（ａ）〜（ｇ）は２枚の裏側布（ａ）１０ｃと表側布１０で縫い合された、インサイド共地のボタンホール３ヶ３２のアジスト用ベルトであり図２（ｂ）はウエスマンのアジストベルトの第１ボタン４を下前部にハメた時の写真図である。
図２〜（ｃ）は第２ボタン、ホール（インベル部）３２Ｂにアジャストを下前部ボタン掛けした写真図である、図２〜（ｄ）はそのアジストベルト第３のホールを下前部にハメ掛けてから上前中心のボタンホール３１穴部をハメ掛けした写真図で（ｅ）はそのボタン４の上前を下前にハメ終ってから、ジッーパテープを閉掛けるとアジャストベルトは見えないので美しい腰囲ウエスマンは完成してＰａｎｔｓのずれ落ちはしない機能が完成し、（ｆ）はポリウレタン１０％の大伸び布地はアジャストボタンホールを多く開ける、布地はバイアス交差の相対性、で８５°と９５°の比例の弾性力（バネ）の関係に有る。
図２〜（ｇ）は米国特許６８００１５９Ｂ２号の布地バイアスを反転表裏した原理でネクタイの布地１０ｃ裏側に反転した布１０ｃで内１０芯地バイアス、布地は表布１０ｃ裏弾性力の有するネクタイ。【００１０】図３（ａ）〜（ｃ）は本発明の左弾性力縒糸を布地と右弾性力縒糸ヨル布地が二重襟バインダーテープヨル襟廻り、Ｔシャツやワイシャツ襟及びカフスに二重襟表裏共布地を使用し接着芯を使用しないソフト襟、カフスは、共通の布地方法で、図３〜（ａ）はそのｃ〜ｃ線の断面図である。
【実施例１】
【００１１】図１（ｅ）及び（ｆ）〜（ｇ）は本発明者の旧米国特許及び特願２００６−１３８２６７号の発明の技術をさらに発展進化させた比列の弾性力を布地８５°（表）布と９５°（裏）布を利用するので通常の方法（特開８−２９９６２７号）米国特許５５７９７０９号、伸縮性布地の縫製する方法−−−−１番目の面布地ともう一方の２番目の面が互いに対面−−−重ね合せ、−−−１番目ステッチを形成する工程）が本発明で進化された、Ｓｔｒｅｔｃｈａｂｌｅ  ＣＬＯＴＨＳの新発明が本発明の糸の縒糸の布地の表地８５°とその裏側布を９５°を利用した弾性力布地。
【実施例２】
【００１２】図４（ａ）〜（ｂ）は本発明の２枚布Ｐａｎｔｓと図４〜（ａ）と、１枚布ワンカット布パンツ図４〜（ｂ）はポリウレタン第の弾性布地を利用して、着用者よりもウエスト寸法を少なめに裁断で縫製する方法でウエストからズリ落ちしない方法で、最初、ＦＣ、フロントセンターを中心で８５°×２の分量を少なくしたアジャスト寸法の布地のＰａｎｔｓの中央前下に正弦定理の三角形（変形三角形）を８５°傾き線上に形成ダーツ上ピラミッド（Ｐ）は中央ＦＣフロントセンターと８５°ダーツの交差がピラミットの頂上に男物、女物、の人体にひったり細身ウエストＰａｎｔｓが出来てさらに図４〜（ｂ）は１枚布でフロントセンターを６０°ダーツを傾き正弦定理で下腹を出腹を少なくする弾性力が働き、スタイルの美しい形を保って、ウエストからＰａｎｔｓのズレ落ちしないアジャストをウエスマン無しでパンツの製作が出来る。
【発明の効果】
【００１３】本発明によれば従来どうしても避けられなかった布地の縫製部の非伸縮性、伸び上りパッカリングが本発明のバネの力、を糸縒の布地を左縒と右縒を布地で弾性力を利用で表地布８５°とその布（又は別布）９５°を縫い合せるので伸び上りパッカリングがなくなるため、デザイン通りの仕上がりのきれいな衣料品は勿論、自動車シート布（皮も）布良品製品を提供でき、さらにＰａｎｔｓの中心フロントセンターの基点Ｄを８５°正弦定理ダーツを用いて図２（ｅ）仕上りでジッパーとボタン４をハメルとフロントセンターは尻部中心縫目Ｘ＝Ｔ字型で左〜右股下中心線Ｘ、両足の走行・歩行が同じ弾性力を有するので「従来のＰａｎｔｓの欠陥転ぶ」ねぢれ走行（転倒）は解消する、相対性８５°〜９５°バイアス原理の裁断による発明効果。
【図面の簡単な説明】
【００１４】
【図１】（ａ）〜（ｊ）は、本発明の本発明のウエスト調節及び布地のバネ弾性力を用いた、布地の裁断と縫い合わせる方法の基本的な手順を説明する部分断面斜視図である。
【図２】（ａ）〜（ｊ）は本発明のＰａｎｔｓの外布と内側伸縮性機能布地を縫い合わせるための代替方法を説明する部分断面斜視図で（ｊ）はその方法でネクタイ表布を裏側にして反対バイアス芯を入れた、Ｕ．Ｓ．ＰＡＴ６８００１５９Ｂ２号での反転布地表布左バイアス芯地右バイアス部分断面斜視図である。
【図３】（ｂ）〜（ｃ）は特願２００６−１３８２６７号で、本発明による縫製方法により製作する被服を示す正面図であり、（ｂ）〜（ｃ）は襟、袖口の縒糸方向の布地で表と裏を示す図であり（ａ）はその被服の布地の縫製方法示す部分の基本的な手順を説明する部分断面斜視図である。
【符号の説明】
【００１５】２    表布−−−−右バイアス８５°（８５°〜８０°  アバウト）
３  裏側布地−−−−左バイアス９５°（９５°〜１００°  アバウト）
２′  表布地の裏側  ９５°
３′  裏側布地のその裏側  ８５°（内側布）
２（１）  表布地のスタート出発点
２（２）  表布地の進行出口
３１  ボタンホール（穴）部（上前中心部）
３′  ボタンホール穴部中内側布部
３′（１）  ３′内側布出口から出た進行布地
４  中央ボタン（下前）取付部
３′（２）  上前部縫代部内側
３（２）  ３′（２）内側布地進行布地（約３ヶボタンホール）
Ａ−Ａ  図１〜（ａ）Ｐａｎｔｓウエスマン部中央断面図部
Ｂ−Ｂ  図１の腰部ウエスマン部部分断面斜視部
３／１０  Ｂ−Ｂ内側布中布表部（ウエスマン部）アジャスト片
３／１１ｃ  Ｂ−Ｂ′内側布中布裏部（ウエスマン部）アジャスト片
１０  表布地を内側使用ウエスマン時用非対面上
１１  表地を１０裏布地非対面でウエスマン第使用下
１０ｃ、１１ｃ  は１０と１１合せ内側で対面する時上側布
１０ａ、１１ａ  外縁
１０ｂ、１１ｂ  自由端縫代部
１２  １番目のステッチ
１３  ２番目のステッチ（保持ステッチ）縫代上
１４  ３番目のステッチ（袋縫いステッチ）
３１  中央ボタンホール上前ウエスマン中心点
３２〜ＡＢＣ  ウエスマン内側インサイドベルト３２Ａ，３Ｂ，３Ｃボタンホール
Ｘ  股下中央基点Ｔ字型新理論縫製下側中心
Ｄ  新正弦定理三角８５°タックでＰａｎｔｓ中心基点発明
▲イ▼  左縒糸混合ポリウレタン高分子糸左弾性力
▲ロ▼  右縒糸混合ポリウレタン高分子糸右弾性力
１５  フロントセンター中心部上前８０°下前９５°少分量
１６  フロントセンター股下部正弦定理三角ダーツ分量
１７  ワンピース、ワンカットＰａｎｔｓ８５°、線上３０°〜６０°ダーツ量
Ｐ  Ｐａｎｔｓのフロント中央部ピラミッド頂上凸部形成
【図１】
2008297692.tif 000003
【図２】
2008297692.tif 000004
【図３】
2008297692.tif 000005
【図４】
2008297692.tif 000006
【手続補正書】
【提出日】平成19年9月26日(2007.9.26)
【手続補正１】
【補正対象書類名】明細書
【補正対象項目名】００１４
【補正方法】変更
【補正の内容】
【００１４】
【図１】（ａ）〜（ｊ）は、本発明の本発明のウエスト調節及び布地のバネ弾性力を用いた、布地の裁断と縫い合わせる方法の基本的な手順を説明する部分断面斜視図である。
【図２】（ａ）〜（ｊ）は本発明のＰａｎｔｓの外布と内側伸縮性機能布地を縫い合わせるための代替方法を説明する部分断面斜視図で（ｊ）はその方法でネクタイ表布を裏側にして反対バイアス芯を入れた、Ｕ．Ｓ．ＰＡＴ６８００１５９Ｂ２号での反転布地表布左バイアス芯地右バイアス部分断面斜視図である。
【図３】（ａ）〜（ｃ）は特願２００６−１３８２６７号で、本発明による縫製方法により製作する被服を示す正面図であり、（ａ）〜（ｃ）は襟、袖口の縒糸方向の布地で表と裏を示す図であり（ａ）はその被服の布地の縫製方法示す部分の基本的な手順を説明する部分断面斜視図である。
【図４】（ａ）〜（ｃ）は本発明Ｐａｎｔｓの裁断方法でＦＣ、フロントセンター中心線は８５度傾き方向の正弦定理三角形ダーツ（Ｄ）で形成されて股下で前身と後身はＴ字型縫製で新形ピラミッド頂上（Ｐ）を中心点ダーツで立体形を形成（Ｐ）でＰａｎｔｓ製品を示す基本的な手順を説明する正面裁断図とＰａｎｔｓ出来上り正面及び斜視図である。